(57)【要約】【課題】配送ミスを減少させ、封入する情報書類との照合を容易に確認できる伝票封筒を提供する。【解決手段】伝票封筒１０は、配送荷物６０に関連した情報書類６１を封入して、配送荷物６０に貼付される伝票封筒１０であって、第１のシート状基材２０と、配送情報を記入する第１の記入欄３１−１を設けた封筒基材部３１と、封筒基材部３１に切り離し自在に形成され、配送情報を記入する第２の記入欄３２−１を設けた伝票基材部３２とを有した第２のシート状基材３０と、第１のシート状基材２０と伝票基材部３２との間に設けられた第３のシート状基材４０と、封筒基材部３１と第３のシート状基材４０とを貼り合わせる第１の接着層５０と、袋状のポケット部を形成するように、第１のシート状基材２０、封筒基材部３１及び第３のシート状基材４０を貼り合わせる第２の接着層５１とを備える。【選択図】図１
2008037049.tif 000002
【特許請求の範囲】
【請求項１】
配送荷物に関連した情報書類を封入して前記配送荷物に貼付される伝票封筒であって、
第１のシート状基材と、
配送情報を記入する第１の記入欄を設けた封筒基材部と、前記封筒基材部に切り離し自在に形成され、配送情報を記入する第２の記入欄を設けた伝票基材部とを有した第２のシート状基材と、
前記第１のシート状基材と前記伝票基材部との間に設けられた第３のシート状基材と、
前記封筒基材部と前記第３のシート状基材とを貼り合わせる第１の接着層と、
袋状のポケット部を形成するように、前記第１のシート状基材、前記封筒基材部及び前記第３のシート状基材を貼り合わせる第２の接着層と、
を備える伝票封筒。
【請求項２】
請求項１に記載の伝票封筒において、
前記封筒基材部及び前記情報書類は、共通の絵柄を印刷した絵柄印刷層を備えること、
を特徴とする伝票封筒。
【請求項３】
請求項２に記載の伝票封筒において、
前記第３のシート状基材は、前記封筒基材部に印刷された前記絵柄と同様の絵柄印刷層を備えること、
を特徴とする伝票封筒。
【請求項４】
請求項１に記載の伝票封筒において、
前記第３のシート状基材は、絵柄を印刷した絵柄印刷層を有し、
前記伝票基材部は、前記絵柄印刷層の前記絵柄を表出する表出部を備えること、
を特徴とする伝票封筒。
【請求項５】
請求項４に記載の伝票封筒において、
前記情報書類は、前記第３のシート状基材に印刷された前記絵柄と同様の絵柄印刷層を備えること、
を特徴とする伝票封筒。
【請求項６】
請求項１から請求項５までのいずれか１項に記載の伝票封筒において、
前記第１のシート状基材は、封緘接着層を設けた第１の封緘基材部と、前記封筒基材部に前記第２の接着層により貼り合わされる封筒本体部とを有し、
前記第２のシート状基材は、前記封筒基材部と連接する第２の封緘基材部を有し、
前記第１の封緘基材部を折り返して、前記第２の封緘基材部と前記封緘接着層で接着することにより、前記袋状のポケット部の開口部を封緘すること、
を特徴とする伝票封筒。
【請求項７】
請求項６に記載の伝票封筒において、
前記第２のシート状基材は、前記封筒基材部と前記第２の封緘基材部との間に開封線を備えること、
を特徴とする伝票封筒。
【請求項８】
請求項７に記載の伝票封筒において、
前記第２のシート状基材は、前記開封線沿いに切り欠き孔を備えること、
を特徴とする伝票封筒。
【請求項９】
請求項１から請求項８までのいずれか１項に記載の伝票封筒において、
前記第１のシート状基材は、前記配送荷物に貼付する封筒接着層を備えること、
を特徴とする伝票封筒。
【発明の詳細な説明】
【技術分野】
【０００１】
本発明は、配送荷物に貼付する伝票封筒に関するものである。
【背景技術】
【０００２】
主に企業間の配送に使用される伝票は、企業消費者間や消費者間の配送に使用される伝票とは異なる場合が多い。例えば、家電メーカから量販店（小売業者）において配送される家電製品の場合は、家電製品の箱を開梱せずに納品書を添付することが要求されているので、裏面にタック紙の付いた封筒を使用している（例えば、特許文献１）。
多くの場合は、家電メーカごとに異なる納品書及び配送伝票が使用されており、無地のタック紙付き封筒に納品書を挿入し、配送伝票をそのタック紙付き封筒に貼り合わせて、製品（箱）に貼付して出荷している。このときに、納品書と配送伝票との照合ミスや、配送先を間違えるなどの配送ミスなどが危惧されている。
照合ミスについては、配送荷物として複数種類の製品が存在しており、配送伝票と納品書とを一体化したタイプの伝票が使用し辛くなるので、配送伝票及び納品書を個々に印字している。そのために、納品書を封筒に挿入するときや、配送伝票を封筒に貼付するときに、両者の照合ミスが発生してしまう。
【０００３】
また、配送ミスについては、納品書と配送伝票との照合ミスの有無に関わらず、発生しうる問題であり対策が最も困難とされている。従来は、配送荷物を専用便で配送したり、一度に大量に配送したりしていたため、配送ミスの発生率は低かった。しかし、昨今では、強い販売力を持つ大手量販店による市場の寡占化が進みつつあり、ＳＣＭ（サプライ・チェーン・マネジメント）やカンバン方式に代表されるように、製品の余分な在庫を持たないようにして、必要なときに必要な数の製品を手配して、コスト効率を向上させる手法が用いられている。そのために、少量多頻度の配送が増えている。また、製品を受け取る量販店側の人員は、コスト効率を向上させるために最低限に減らされ、それが起因して配送荷物の到着日時も細かく指定される状態になっている。
【０００４】
このように、細かく時間が規制され、更に道路事情などによる配送の遅延などがあると、配送ドライバーの負荷（ストレス）が極度に大きくなり、例えば、本来はＡ社に納品すべき製品を、誤ってＢ社に納品してしまうなどの配送ミスを発生してしまう要因となっている。
また、量販店は、利便性といった点から、同一の地域にまとまっている場合が多く、また、売れる製品（発注される製品）も、各量販店でほとんど変わらないため、そのような製品を、配送伝票の住所を見て納品するだけでは、配送ミスを回避しきれない問題がある。
【特許文献１】特開２００１−０５５２４０号公報
【発明の開示】
【発明が解決しようとする課題】
【０００５】
本発明の課題は、配送ミスを減少させ、封入する情報書類との照合を容易に確認できる伝票封筒を提供することである。
【課題を解決するための手段】
【０００６】
本発明は、以下のような解決手段により、前記課題を解決する。なお、理解を容易にするために、本発明の実施例に対応する符号を括弧内に付して説明するが、これに限定されるものではない。
請求項１の発明は、配送荷物（６０）に関連した情報書類（６１）を封入して前記配送荷物（６０）に貼付される伝票封筒（１０）であって、第１のシート状基材（２０）と、配送情報を記入する第１の記入欄（３１−１）を設けた封筒基材部（３１）と、前記封筒基材部（３１）に切り離し自在に形成され、配送情報を記入する第２の記入欄（３２−１）を設けた伝票基材部（３２）とを有した第２のシート状基材（３０）と、前記第１のシート状基材（２０）と前記伝票基材部（３２）との間に設けられた第３のシート状基材（４０）と、前記封筒基材部（３１）と前記第３のシート状基材（４０）とを貼り合わせる第１の接着層（５０）と、袋状のポケット部を形成するように、前記第１のシート状基材（２０）、前記封筒基材部（３１）及び前記第３のシート状基材（４０）を貼り合わせる第２の接着層（５１）とを備える伝票封筒（１０）である。
【０００７】
請求項２の発明は、請求項１に記載の伝票封筒（１０）において、前記封筒基材部（３１）及び前記情報書類（６１）は、共通の絵柄を印刷した絵柄印刷層（３１−２、６１−１）を備えることを特徴とする伝票封筒（１０）である。
【０００８】
請求項３の発明は、請求項２に記載の伝票封筒（１０）において、前記第３のシート状基材（４０）は、前記封筒基材部（３１）に印刷された前記絵柄と同様の絵柄印刷層（４０−１）を備えることを特徴とする伝票封筒（１０）である。
【０００９】
請求項４の発明は、請求項１に記載の伝票封筒（１０）において、前記第３のシート状基材（４０）は、絵柄を印刷した絵柄印刷層（４０−１）を有し、前記伝票基材部（３２）は、前記絵柄印刷層（４０−１）の前記絵柄を表出する表出部（３７）を備えることを特徴とする伝票封筒（１０−２）である。
【００１０】
請求項５の発明は、請求項４に記載の伝票封筒（１０−２）において、前記情報書類（６１）は、前記第３のシート状基材（４０）に印刷された前記絵柄と同様の絵柄印刷層（６１−１）を備えることを特徴とする伝票封筒（１０−２）である。
【００１１】
請求項６の発明は、請求項１から請求項５までのいずれか１項に記載の伝票封筒（１０）において、前記第１のシート状基材（２０）は、封緘接着層（２２−１）を設けた第１の封緘基材部（２２）と、前記封筒基材部（３１）に前記第２の接着層（５１）により貼り合わされる封筒本体部（２１）とを有し、前記第２のシート状基材（３０）は、前記封筒基材部（３１）と連接する第２の封緘基材部（３３）を有し、前記第１の封緘基材部（２２）を折り返して、前記第２の封緘基材部（３３）と前記封緘接着層（２２−１）で接着することにより、前記袋状のポケット部の開口部を封緘することを特徴とする伝票封筒（１０）である。
【００１２】
請求項７の発明は、請求項６に記載の伝票封筒（１０）において、前記第２のシート状基材（３０）は、前記封筒基材部（３１）と前記第２の封緘基材部（３３）との間に開封線（３４）を備えることを特徴とする伝票封筒（１０）である。
【００１３】
請求項８の発明は、請求項７に記載の伝票封筒（１０）において、前記第２のシート状基材（３０）は、前記開封線（３４）沿いに切り欠き孔（３６）を備えることを特徴とする伝票封筒（１０）である。
【００１４】
請求項９の発明は、請求項１から請求項８までのいずれか１項に記載の伝票封筒（１０）において、前記第１のシート状基材（２０）は、前記配送荷物（６０）に貼付する封筒接着層（２１−１）を備えることを特徴とする伝票封筒（１０）である。
【発明の効果】
【００１５】
以上説明したように、本発明によれば、以下のような効果がある。
（１）伝票封筒は、第１のシート状基材と、封筒基材部及び伝票基材部に第１及び第２の記入欄を設けた第２のシート状基材と、第３のシート状基材と、第１の接着層と、第２の接着層とにより袋状のポケット部を形成し、封筒と配送伝票とを一体化しているので、封筒と配送伝票との照合ミスをなくすことができる。
（２）封筒基材部及び情報書類は、共通の絵柄を印刷した絵柄印刷層を備えているので、封筒基材部と情報書類とを絵柄印刷層の絵柄により照合させることができ、伝票封筒と情報書類との照合ミスを減少させることができる。また、絵柄に特定の配送先を認識させることにより、配送ミスを減少させることができる。
（３）第３のシート状基材は、封筒基材部に印刷された絵柄と同様の絵柄印刷層を備えているので、伝票封筒の製袋工程において、第３のシート状基材と封筒基材部とを絵柄印刷層の絵柄により照合させることができ、照合ミスによる伝票封筒の製袋の不良率を減少させることができる。
（４）第３のシート状基材は、絵柄を印刷した絵柄印刷層を有し、伝票基材部は、絵柄印刷層の絵柄を表出する表出部を備えているので、伝票封筒に絵柄を表出させ、その絵柄に特定の配送先を認識させることにより、配送ミスを減少させることができる。
（５）情報書類は、第３のシート状基材に印刷された絵柄と同様の絵柄印刷層を備えているので、伝票封筒と情報書類とを絵柄印刷層の絵柄により照合させることができ、伝票封筒と情報書類との照合ミスを減少させることができる。
【００１６】
（６）伝票封筒は、第１のシート状基材に封緘接着層を設けた第１の封緘基材部と、第２のシート状基材に第２の封緘基材部とを備えているので、袋状のポケット部の開口部を封緘することができ、伝票封筒に挿入した情報書類を脱落させることなく配送荷物とともに配送することができる。
（７）第２のシート状基材は、封筒基材部と前記第２の封緘基材部との間に開封線を備えているので、封緘された伝票基材を容易に開封することができる。
（８）第２のシート状基材は、開封線沿いに切り欠き孔を備えているので、開封線の切断を容易にすることができ、また、情報書類を容易に伝票封筒から取り出すことができる。
（９）第１のシート状基材は、配送荷物に貼付する封筒接着層を備えているので、伝票封筒を配送荷物に、容易に貼付することができる。
【発明を実施するための最良の形態】
【００１７】
本発明は、配送ミスを減少させ、封入する情報書類との照合を容易に確認できる伝票封筒を提供するという目的を、絵柄印刷層を設けた封筒基材部及び伝票基材部を有した第２のシート状基材と、第１のシート状基材とを貼り合わせ、袋状のポケット部を形成することにより実現する。
【実施例１】
【００１８】
以下、図面等を参照して、本発明の実施例をあげて、さらに詳しく説明する。
図１は、本発明による実施例１の伝票封筒及び納品書の詳細を示す図であり、図１（Ａ）に伝票封筒の平面図を示し、図１（Ｂ）に伝票封筒の側面図を示し、図１（Ｃ）に納品書の詳細図を示す。図２は、実施例１の伝票封筒を配送荷物に貼付するまでの使用状況に応じた形態の変化を示す図であり、図３は、配達後の使用状況に応じた形態の変化を示す図である。
伝票封筒１０は、図１に示すように、納品書（情報書類）６１を封入する配送伝票の役割を兼ね備えた封筒であり、製品のメーカと小売業者（量販店）との間の製品の配送に使用される。伝票封筒１０は、第１のシート状基材２０、第２のシート状基材３０、第３のシート状基材４０、第１の接着層５０及び第２の接着層５１から構成される。
【００１９】
第１のシート状基材２０は、折れ線２３を挟んで封筒本体部２１及び第１の封緘基材部２２から形成され、封筒本体部２１の裏面には、封筒接着層２１−１を介して封筒剥離基材部２１−２が剥離可能に接着され、第１の封緘基材部２２の裏面には、封緘接着層２２−１を介して封緘剥離基材部２２−２が剥離可能に接着されているタック紙である。
封筒本体部２１は、表面に第２の接着層５１を備え、伝票封筒１０の袋状のポケット部を形成する紙片である。
【００２０】
封筒接着層２１−１は、伝票封筒１０を配送荷物６０に貼付するために設けられた剥離不可能な接着剤である。
封筒剥離基材部２１−２は、封筒接着層２１−１の接着面を保護する剥離紙である。
第１の封緘基材部２２は、伝票封筒１０の袋状のポケット部を封緘する紙片である。
封緘接着層２２−１は、封筒接着層２１−１と同種の剥離不可能な接着剤である。
封緘剥離基材部２２−２は、封緘接着層２２−１の接着面を保護する剥離紙である。
折れ線２３は、封筒本体部２１と第１の封緘基材部２２との間に設けられたミシン目である。
【００２１】
第２のシート状基材３０は、封筒基材部３１、伝票基材部３２及び第２の封緘基材部３３を形成した上質紙である。
封筒基材部３１は、封筒本体部２１に第２の接着層５１で貼り合わされることにより、袋状のポケット部を形成する紙片である。また、表面に、配送先である小売業者の商標（絵柄印刷層）３１−２と、第１の記入欄３１−１とが印刷され、配送伝票の貼付票の役割を兼ねている。
伝票基材部３２は、切り取り線３５を境にして封筒基材部３１と連接し、表面に第２の記入欄３２−１を印刷した配達票である。
【００２２】
第２の封緘基材部３３は、第１の封緘基材部２２に封緘接着層２２−１で接着されることにより、伝票封筒１０の袋状のポケット部の開口部を封緘する紙片である。
開封線３４は、封筒基材部３１と第２の封緘基材部３３との間に設けられたミシン目であり、封緘された伝票封筒１０を開封するために使用される。
切り取り線３５は、封筒基材部３１と伝票基材部３２との間に設けられたミシン目であり、伝票封筒１０から伝票基材部３２を切り離すために使用される。
切り欠き孔３６は、封緘された伝票封筒１０の開封線３４の切り離しと、伝票封筒１０に対する納品書６１の取り出しとを容易にするために設けられた孔である。
【００２３】
第３のシート状基材４０は、表面に、封筒基材部３１に設けられた商標３１−２と同じ商標（絵柄印刷層）４０−１が連続的に印刷された上質紙であり（図３（Ｂ）参照）、伝票封筒１０の伝票基材部３２が剥がされた部位から、封入された納品書６１が抜き出されるのを防ぐ効果がある。
第１の接着層５０は、第３のシート状基材４０の両端部に設けられた接着剤であり、伝票基材部３２の裏面を覆うようにして、封筒基材部３１と第３のシート状基材４０とを接着する。
【００２４】
第２の接着層５１は、封筒本体部２１の表面の三周辺に設けられた接着剤であり、第３のシート状基材４０を貼り合わせた封筒基材部３１と封筒本体部２１とを、袋状のポケット部を形成するように接着する。
配送荷物６０は、メーカにより製造され、小売業者に出荷される製品である。
納品書６１は、図１（Ｃ）に示すように、表面に、封筒基材部３１に設けられた商標３１−２と同じ商標（絵柄印刷層）６１−１が印刷され、配送荷物６０として運ばれる製品の詳細が記載された書類である。
【００２５】
次に、伝票封筒１０の使用方法について説明する。
まず、配送元（メーカ）は、伝票封筒１０の第１及び第２の記入欄３１−１、３２−１に必要事項を記入して、納品書６１を、図２（Ａ）に示すように、伝票封筒１０に挿入する（矢印Ａ）。このときに、封筒基材部３１に印刷された商標３１−２と、納品書６１に印刷された商標６１−１とが同一であるか否かを確認することにより、伝票封筒１０と納品書６１との照合ミスを防止することができる。
【００２６】
次に、図２（Ｂ）に示すように、第２の封緘基材部３３と封筒本体部２１との間に、第１の封緘基材部２２を折り返して挟み（矢印Ｂ）、第１の封緘基材部２２から封緘剥離基材部２２−２を剥がす（矢印Ｃ）。続いて、図２（Ｃ）に示すように、封緘接着層２２−１を介して第１の封緘基材部２２と第２の封緘基材部３３とを貼り合わせ（矢印Ｄ）、伝票封筒１０のポケット部の開口部を封緘する。次に、封緘した伝票封筒１０の封筒剥離基材部２１−２を剥がし（矢印Ｅ）、伝票封筒１０を配送荷物６０に貼付して（矢印Ｆ）、配送業者に渡す。
【００２７】
配送業者は、受け取った配送荷物６０を、伝票封筒１０の第１及び第２の記入欄３１−１、３２−１の記入内容と、封筒基材部３１の表面に印刷された商標３１−２とに基づいて、配送ミスすることなく配送先（小売業者）へと配送する。
所定の小売業者へと配達したら、図３（Ａ）に示すように、伝票封筒１０の伝票基材部３２の第２の記入欄３２−１に、受領印を小売業者から貰い、伝票基材部３２を、伝票封筒１０から切り取り線３５で切り離して（矢印Ｇ）、持ち帰る。
【００２８】
配送荷物６０を受け取った小売業者は、封筒基材部３１及び第３のシート状基材４０に印刷された自社の商標３１−２、４０−１を確認する。そして、図３（Ｂ）に示すように、開封線３４で封緘された伝票封筒１０を開封し、納品書６１を取り出して（矢印Ｈ）、納品書６１の内容及び配送荷物６０を確認する。このときに、開封線３４の一部に切り欠き孔３６が設けられているので、開封線３４の切断と、納品書６１の取り出しとを容易に行うことができる。
【００２９】
以上より、実施例１の伝票封筒には以下のような効果がある。
（１）伝票封筒１０は、第１のシート状基材２０と、封筒基材部３１及び伝票基材部３２に第１及び第２の記入欄３１−１、３２−１を設けた第２のシート状基材３０と、第３のシート状基材４０と、第１の接着層５０と、第２の接着層５１とにより袋状のポケット部を形成し、封筒と配送伝票とを一体化しているので、両者の照合ミスをなくすことができる。
【００３０】
（２）封筒基材部３１及び納品書６１は、小売業者の商標３１−２、６１−１を備えているので、封筒基材部３１と納品書６１とを商標３１−２、６１−１により照合させることができ、伝票封筒１０と納品書６１との照合ミスを減少させることができる。また、配送先の近所に、多数の同業の小売業者があったとしても、商標３１−２を確認することにより、配送ミスをすることなく、所定の小売業者へと配送荷物６０を確実に配達することができる。
（３）第３のシート状基材４０は、封筒基材部３１に印刷された商標３１−２と同様の商標４０−１を備えているので、伝票封筒１０の製袋工程において、第３のシート状基材４０と封筒基材部３１とを商標３１−２、４０−１により照合させることができ、照合ミスによる伝票封筒１０の製袋の不良率を減少させることができる。
（４）伝票封筒１０は、第１のシート状基材２０に封緘接着層２２−１を設けた第１の封緘基材部２２と、第２のシート状基材３０に第２の封緘基材部３３とを備えているので、袋状のポケット部の開口部を封緘することができ、伝票封筒１０に挿入した納品書６１を脱落させることなく配送荷物６０とともに配送することができる。
【００３１】
（５）第２のシート状基材３０は、封筒基材部３１と第２の封緘基材部３３との間に開封線３４を備えているので、封緘された伝票基材１０を容易に開封することができる。
（６）第２のシート状基材３０は、開封線３４沿いに切り欠き孔３６を備えているので、納品書６１を容易に、開封線３４の切断を容易にすることができ、また、伝票封筒１０から取り出すことができる。
（７）第１のシート状基材２０は、配送荷物６０に貼付する封筒接着層２１−１を備えているので、伝票封筒１０を配送荷物６０に、容易に貼付することができる。
【実施例２】
【００３２】
図４は、本発明による実施例２の伝票封筒及び納品書の詳細を示す図であり、図４（Ａ）に伝票封筒の平面図を示し、図４（Ｂ）に伝票封筒の側面図を示し、図４（Ｃ）に納品書の詳細図を示す。なお、前述した実施例１と同様な機能を果たす部分には、同一の符号又は末尾に統一した符号を付して、重複する説明や図面を適宜省略する。
伝票封筒１０−２は、実施例１と同様に、納品書６１を封入する配送伝票の役割を兼ね備えた封筒であり、製品のメーカと小売業者との間における製品の配送に使用される。伝票封筒１０−２は、図４に示すように、第１のシート状基材２０、第２のシート状基材３０、第３のシート状基材４０、第１の接着層５０及び第２の接着層５１から構成される。
【００３３】
第２のシート状基材３０は、封筒基材部３１、伝票基材部３２、第２の封緘基材部３３及び表出基材部３７を形成した上質紙である。
封筒基材部３１は、第２の接着層５１で封筒本体部２１と貼り合わされることにより、袋状のポケット部を形成する紙片である。また、表面に、第１の記入欄３１−１が印刷され、配送伝票の貼付票の役割を兼ねている。
表出基材部３７は、切り取り線３５及び切り取り線３８を境にして、封筒基材部３１及び伝票基材部３２と連接した紙片である（表出部）。切り取り線３５及び切り取り線３８で第２にシート状基材３０から切り離されることにより、第３のシート状基材４０に印刷された商標４０−１を伝票封筒１０−２に表出させることができる。
切り取り線３５は、封筒基材部３１と、伝票基材部３２及び表出基材部３７との間に設けられたミシン目であり、伝票封筒１０−２から伝票基材部３２及び表出基材部３７を切り離すために使用される。
切り取り線３８は、伝票基材部３２と表出基材部３７との間に設けられたミシン目であり、伝票封筒１０−２から表出基材部３７を切り離すために使用される。
【００３４】
次に、伝票封筒１０−２の使用方法について説明する。
まず、配送元（メーカ）は、伝票封筒１０−２の第１及び第２の記入欄３１−１、３２−１に必要事項を記入し、表出基材部３７を第２のシート状基材３０から剥がして（図４（Ａ）矢印Ｉ）、納品書６１を伝票封筒１０−２に挿入する。納品書６１を挿入する際に、第３のシート状基材４０に印刷された商標４０−１が伝票封筒１０−２の表面に表出しているので、納品書６１に印刷された商標６１−１と同一であるか否かを確認する。この確認により、伝票封筒１０−２と納品書６１との照合ミスを防止することができる。
次に、第１の封緘基材部２２、第２の封緘基材部３３及び封緘接着層２２−１により、伝票封筒１０−２のポケット部の開口部を封緘し、封緘した伝票封筒１０−２を配送荷物６０に貼付して、配送業者に渡す。
【００３５】
配送業者は、受け取った配送荷物６０を、伝票封筒１０−２の第１及び第２の記入欄３１−１、３２−１の記入内容と、第３のシート状基材４０に印刷された商標４０−１とに基づいて、配送ミスすることなく配送先（小売業者）へと配送する。
所定の小売業者へと配達したら、伝票封筒１０−２の伝票基材部３２に、受領印を貰い、伝票封筒１０−２から切り離して持ち帰る。
配送荷物６０を受け取った小売業者は、第３のシート状基材４０に印刷された自社の商標４０−１を確認し、伝票封筒１０−２を開封し、納品書６１を取り出して、納品書６１の内容及び配送荷物６０を確認する。
【００３６】
以上より、実施例２の伝票封筒には、前述した実施例１の効果に加え、以下のような効果がある。
（１）第３のシート状基材４０は、小売業者の商標４０−１が印刷され、第２のシート状基材３０は、その商標４０−１を表出する表出基材部３７を備えているので、表出基材部３７を第２のシート状基材３０から剥がすことで、伝票封筒１０−２の表面に商標４０−１を表出させ、その商標４０−１を確認することにより、配送ミスをすることなく所定の小売業者へと配送荷物６０を確実に配達することができる。
（２）納品書６１は、第３のシート状基材４０に印刷された商標４０−１と同様の商標６１−１を印刷しているので、伝票封筒１０−２と納品書６１とを商標４０−１、６１−１により照合させることができ、伝票封筒１０−２と納品書６１との照合ミスを減少させることができる。
【００３７】
（変形例）
以上説明した各実施例に限定されることなく、種々の変形や変更が可能であって、それらも本発明の均等の範囲内である。
（１）実施例２では、第３のシート状基材４０の商標４０−１は、表出基材部３７を第２のシート状基材３０から剥がすことにより伝票封筒１０−２に表出させていたが、それ以外の方法で表出させてもよい。例えば、伝票基材部３２の商標４０−１と重なる部位に、表出用の窓を設けることも可能である。
（２）各実施例は、絵柄を印刷した絵柄印刷層として小売業者の商標３１−２、４０−１、６１−１を用いたが、それ以外の絵柄、例えば、店舗のロゴマークや店名などを印刷することも可能である。
【図面の簡単な説明】
【００３８】
【図１】本発明による実施例１の伝票封筒及び納品書の詳細を示す図である。
【図２】本発明による実施例１の伝票封筒を配送荷物に貼付するまでの使用状況に応じた形態の変化を示す図である。
【図３】本発明による実施例１の伝票封筒の配達後の使用状況に応じた形態の変化を示す図である。
【図４】本発明による実施例２の伝票封筒及び納品書の詳細を示す図である。
【符号の説明】
【００３９】
１０  伝票封筒
２０  第１のシート状基材
３０  第２のシート状基材
３１  封筒基材部
３２  伝票基材部
４０  第３のシート状基材
５０  第１の接着層
５１  第２の接着層
６０  配送荷物
６１  納品書
【図１】
2008037049.tif 000003
【図２】
2008037049.tif 000004
【図３】
2008037049.tif 000005
【図４】
2008037049.tif 000006